(57)【特許請求の範囲】
【請求項１】
受け入れた貨幣を識別して金種別に貨幣収納部に収納するとともに、前記貨幣収納部に収納された前記貨幣を出金する貨幣取引装置において、
前記貨幣の処理枚数を入力する入力部と、
前記貨幣の金種毎の在高枚数を表示する在高枚数表示領域と、前記入力部によって入力された前記貨幣の金種毎の処理枚数を表示する処理枚数表示領域とを有する表示部と、
を備え、
前記在高枚数表示領域に表示される在高枚数は、貨幣の処理状況に応じて随時更新されることを特徴とする貨幣取引装置。
【請求項２】
筐体と、
前記筐体に設けられ、紙幣または硬貨の処理枚数を入力する入力部と、
前記筐体に設けられ、紙幣または硬貨を受け入れる貨幣受入部と、
前記筐体内に設けられ、前記貨幣受入部によって受け入れられた紙幣または硬貨を搬送する搬送機構と、
前記搬送機構に設けられ、当該搬送機構によって搬送される紙幣または硬貨を識別する貨幣識別部と、
前記搬送機構に連結され、当該搬送機構によって搬送された紙幣または硬貨を収納する貨幣収納部と、
前記貨幣収納部に連結され、当該貨幣収納部から紙幣または硬貨を出金する貨幣出金部と、
前記筐体に設けられ、紙幣および／または硬貨の金種毎の在高枚数を表示する在高枚数表示領域と、前記入力部によって入力された紙幣または硬貨の金種毎の処理枚数を表示する処理枚数表示領域とを有する表示部と、
備え、
前記在高枚数表示領域に表示される在高枚数は、紙幣または硬貨の処理状況に応じて随時更新されることを特徴とする貨幣取引装置。
【請求項３】
前記在高枚数表示領域と前記処理枚数表示領域の各々は、処理可能な金種の全てを同時に表示することを特徴とする請求項１又は２のいずれかに記載の貨幣取引装置。
【請求項４】
前記在高枚数表示領域と前記処理枚数表示領域とは、独立した区画領域に表示されることを特徴とする請求項１又は２のいずれかに記載の貨幣取引装置。
【請求項５】
前記在高枚数表示領域と前記処理枚数表示領域とは、金種毎に並列して表示されることを特徴とする請求項１又は２のいずれかに記載の貨幣取引装置。
【請求項６】
前記入力部は、貨幣出金部内から出金される紙幣または硬貨の出金枚数が入力可能であり、
前記処理枚数表示領域は、前記入力部によって入力された出金枚数を表示することを特徴とする請求項１又は２のいずれかに記載の貨幣取引装置。
【請求項７】
前記入力部において在高枚数を超える出金枚数が入力されたときには、報知することを特徴とする請求項６に記載の貨幣取引装置。
【請求項８】
前記入力部において在高枚数を超える出金枚数が入力されたときには、当該入力部による入力を受け付けないことを特徴とする請求項６に記載の貨幣取引装置。
【請求項９】
前記在高枚数表示領域は、所定枚数以上の在高枚数にある金種を強調表示することを特徴とする請求項６に記載の貨幣取引装置。
【請求項１０】
前記入力部は、紙幣または硬貨の両替時の出金枚数が入力可能であることを特徴とする請求項６に記載の貨幣取引装置。
【請求項１１】
前記入力部は、貨幣収納部内に補充される紙幣または硬貨の補充枚数が入力可能であり、
前記処理枚数表示領域は、前記入力部によって入力された補充枚数を表示することを特徴とする請求項１又は２のいずれかに記載の貨幣取引装置。
【請求項１２】
前記在高枚数表示領域は、所定枚数以下の在高枚数にある金種を強調表示することを特徴とする請求項１１に記載の貨幣取引装置。
【請求項１３】
前記入力部によって入力された金種の補充枚数を当該金種の在高枚数に加えた総枚数が、当該金種を収納する貨幣収納部の収納最大枚数を超えたときには、報知することを特徴とする請求項１１に記載の貨幣取引装置。
【請求項１４】
前記入力部によって入力された金種の補充枚数を当該金種の在高枚数に加えた総枚数が、当該金種を収納する貨幣収納部の収納最大枚数を超えたときには、当該入力部による入力を受け付けないことを特徴とする請求項１１に記載の貨幣取引装置。
【請求項１５】
前記入力部は、貨幣収納部内に残される紙幣または硬貨の残置枚数が入力可能であり、  前記処理枚数表示領域は、前記入力部によって入力された残置枚数を表示することを特徴とする請求項１又は２のいずれかに記載の貨幣取引装置。
【請求項１６】
前記入力部において在高枚数を超える残置枚数が入力されたときには、報知することを特徴とする請求項１５に記載の貨幣取引装置。
【請求項１７】
前記入力部において在高枚数を超える残置枚数が入力されたときには、当該入力部による入力を受け付けないことを特徴とする請求項１５に記載の貨幣取引装置。
【発明の詳細な説明】
【技術分野】
【０００１】
本発明は、紙幣または硬貨を入金および出金する貨幣取引装置に関する。
【背景技術】
【０００２】
従来、動作モ−ドを顧客操作モ−ドから係員操作モ−ドに切り替えるとともに接客部の表示・入力部の表示部を顧客操作画面から係員操作画面に切り替え、入力部を操作して装置内部の紙幣を回収する貨幣取引装置であって、回収する紙幣の金種及び枚数を表示・入力部に設定させる回収紙幣設定手段と、設定された金種及び枚数に基づいて装置内部の紙幣を接客部の紙幣入出金口に出金する出金手段とを設けた貨幣取引装置が知られている（例えば、特許文献１参照）。
【特許文献１】特開平１１−３１２２６８号公報
【発明の開示】
【発明が解決しようとする課題】
【０００３】
しかしながら、このような従来の貨幣取引装置では、表示・入力部によって金種／枚数を入力することができるものの、回収する際の各金種の残高枚数（在高枚数）や回収枚数はレシ−トによって印字されるだけであり、表示部で残高枚数（在高枚数）を見ながら作業をすることができなかった。このため、表示部を見ながら残高枚数（在高枚数）に応じた作業をすることができず、作業効率が悪かった。
【０００４】
本発明は、このような点を考慮してなされたものであり、作業者が在高枚数を見ながら作業することができ、作業効率を向上させることができる貨幣取引装置を提供することを目的とする。
【課題を解決するための手段】
【０００５】
本発明による貨幣取引装置は、
筐体と、
前記筐体に設けられ、紙幣または硬貨の処理枚数を入力する入力部と、
前記筐体に設けられ、紙幣または硬貨を受け入れる貨幣受入部と、
前記筐体内に設けられ、前記貨幣受入部によって受け入れられた紙幣または硬貨を搬送する搬送機構と、
前記搬送機構に設けられ、当該搬送機構によって搬送される紙幣または硬貨を識別する貨幣識別部と、
前記搬送機構に連結され、当該搬送機構によって搬送された紙幣または硬貨を収納する貨幣収納部と、
前記貨幣収納部に連結され、当該貨幣収納部から紙幣または硬貨を出金する貨幣出金部と、
前記筐体に設けられ、紙幣および／または硬貨の金種毎の在高枚数を表示する在高枚数表示領域と、前記入力部によって入力された紙幣または硬貨の金種毎の処理枚数を表示する処理枚数表示領域とを有する表示部と、
備えている。
【０００６】
本発明による貨幣取引装置において、
前記在高枚数表示領域と前記処理枚数表示領域の各々は、処理可能な金種の全てを同時に表示することが好ましい。
【０００７】
本発明による貨幣取引装置において、
前記在高枚数表示領域に表示される在高枚数は、紙幣または硬貨の処理状況に応じて随時更新されることが好ましい。
【０００８】
本発明による貨幣取引装置において、
前記在高枚数表示領域と前記処理枚数表示領域とは、独立した区画領域に表示されることが好ましい。
【０００９】
本発明による貨幣取引装置において、
前記在高枚数表示領域と前記処理枚数表示領域とは、金種毎に並列して表示されることが好ましい。
【００１０】
本発明による貨幣取引装置において、
前記入力部は、貨幣出金部内から出金される紙幣または硬貨の出金枚数が入力可能であり、
前記処理枚数表示領域は、前記入力部によって入力された出金枚数を表示することが好ましい。
【００１１】
このような態様の貨幣取引装置において、
前記入力部において在高枚数を超える出金枚数が入力されたときには、報知することが好ましい。
【００１２】
上述した態様の貨幣取引装置において、
前記入力部において在高枚数を超える出金枚数が入力されたときには、当該入力部による入力を受け付けないことが好ましい。
【００１３】
上述した態様の貨幣取引装置において、
前記在高枚数表示領域は、所定枚数以上の在高枚数にある金種を強調表示することが好ましい。
【００１４】
上述した態様の貨幣取引装置において、
前記入力部は、紙幣または硬貨の両替時の出金枚数が入力可能であることが好ましい。
【００１５】
本発明による貨幣取引装置において、
前記入力部は、貨幣収納部内に補充される紙幣または硬貨の補充枚数が入力可能であり、前記処理枚数表示領域は、前記入力部によって入力された補充枚数を表示することが好ましい。
【００１６】
本発明による貨幣取引装置において、
前記在高枚数表示領域は、所定枚数以下の在高枚数にある金種を強調表示することが好ましい。
【００１７】
本発明による貨幣取引装置において、
前記入力部によって入力された金種の補充枚数を当該金種の在高枚数に加えた総枚数が、当該金種を収納する貨幣収納部の収納最大枚数を超えたときには、報知することが好ましい。
【００１８】
本発明による貨幣取引装置において、
前記入力部によって入力された金種の補充枚数を当該金種の在高枚数に加えた総枚数が、当該金種を収納する貨幣収納部の収納最大枚数を超えたときには、当該入力部による入力を受け付けないことが好ましい。
【００１９】
本発明による貨幣取引装置において、
前記入力部は、貨幣収納部内に残される紙幣または硬貨の残置枚数が入力可能であり、前記処理枚数表示領域は、前記入力部によって入力された残置枚数を表示することが好ましい。
【００２０】
このような態様の貨幣取引装置において、
前記入力部において在高枚数を超える残置枚数が入力されたときには、報知することが好ましい。
【００２１】
上述した態様の貨幣取引装置において、
前記入力部において在高枚数を超える残置枚数が入力されたときには、当該入力部による入力を受け付けないことが好ましい。
【発明の効果】
【００２２】
本発明によれば、表示部の在高枚数表示領域で紙幣または硬貨の金種毎の在高枚数を表示するととともに、表示部の処理枚数表示領域で入力部によって入力された紙幣または硬貨の金種毎の処理枚数を表示するので、作業者が在高枚数を見ながら作業することができる。このため、作業者の作業効率を向上させることができる。
【発明を実施するための形態】
【００２３】
実施の形態
以下、本発明に係る貨幣取引装置の実施の形態について、図面を参照して説明する。ここで、図１乃至図６は本発明の実施の形態を示す図である。なお、本願において、貨幣とは紙幣および硬貨のことを意味する。
【００２４】
図１および図２に示すように、貨幣取引装置は、硬貨を取り扱う硬貨取引装置２と、紙幣を取り扱う紙幣取引装置３とを備えている。
【００２５】
このうち硬貨取引装置２は、図１および図２に示すように、硬貨筐体２０と、硬貨筐体２０に設けられ、硬貨を受け入れる硬貨受入部（貨幣受入部）２１と、硬貨筐体２０内に設けられ、硬貨受入部２１によって受け入れられた硬貨を搬送する硬貨入金搬送機構２５（図２参照）と、硬貨入金搬送機構２５に設けられ、当該硬貨入金搬送機構２５によって搬送される硬貨を識別する硬貨識別部（貨幣識別部）２２（図２参照）と、を備えている。
【００２６】
また、図２に示すように、硬貨入金搬送機構２５には、当該硬貨入金搬送機構２５によって搬送された硬貨を収納する硬貨収納部（貨幣収納部）２６が連結されている。また、硬貨収納部２６には、この硬貨収納部２６から繰り出された硬貨が搬送される硬貨出金口（貨幣出金部）２８が、硬貨出金搬送機構２７を介して連結されている。
【００２７】
なお、図２に示すように、硬貨入金搬送機構２５は、硬貨を搬送する硬貨搬送部２３と、硬貨の金種を選別する硬貨選別部２４とを有している。
【００２８】
また、図１および図２に示すように、紙幣取引装置３は、紙幣筐体３０と、紙幣筐体３０に設けられ、紙幣を受け入れる紙幣受入部（貨幣受入部）３１と、紙幣筐体３０内に設けられ、紙幣受入部３１によって受け入れられた紙幣を搬送する紙幣搬送機構３５（図２参照）と、紙幣搬送機構３５に設けられ、当該紙幣搬送機構３５によって搬送される紙幣を識別する紙幣識別部（貨幣識別部）３２（図２参照）と、を備えている。
【００２９】
また、図２に示すように、紙幣搬送機構３５には、当該紙幣搬送機構３５によって搬送された紙幣を収納する紙幣収納部（貨幣収納部）３６が連結されている。また、紙幣収納部３６には、この紙幣収納部３６から繰り出された紙幣が搬送される紙幣払出口（貨幣出金部）３８が、紙幣搬送機構３５を介して連結されている。なお、この紙幣払出口３８は、入金時に紙幣の金種を識別できなかったときに、当該紙幣をリジェクトする入金リジェクト部３８としても機能する。また、紙幣搬送機構３５には、出金時に、斜行などにより紙幣識別部３２で金種が識別できなかった紙幣を搬送する出金リジェクト部３９も連結されている。
【００３０】
また、図１に示すように、硬貨筐体２０には、紙幣および硬貨の処理枚数を入力する入力部５と表示部１０とが設けられている。なお、この表示部１０は、図３（ａ）に示すように、紙幣および硬貨の金種毎の在高枚数（硬貨収納部２６に収納されている硬貨の枚数と、紙幣収納部３６に収納されている紙幣の枚数）を表示する在高枚数表示領域１２と、入力部５によって入力された紙幣および硬貨の金種毎の処理枚数を表示する処理枚数表示領域１１とを有している。
【００３１】
また、在高枚数表示領域１２と処理枚数表示領域１１の各々は、図３（ａ）に示すように、処理可能な金種の全てを同時に表示する。具体的には、本実施の形態では、在高枚数表示領域１２は、１万円紙幣、５千円紙幣、２千円紙幣、千円紙幣、５００円硬貨、１００円硬貨、５０円硬貨、１０円硬貨、５円硬貨および１円硬貨の在高枚数を表示し、処理枚数表示領域１１は、１万円紙幣、５千円紙幣、２千円紙幣、千円紙幣、５００円硬貨、１００円硬貨、５０円硬貨、１０円硬貨、５円硬貨および１円硬貨の処理枚数を表示する。なお、在高枚数表示領域１２には、リジェクトされた紙幣の件数も表示されている。
【００３２】
また、在高枚数表示領域１２に表示される在高枚数は、紙幣または硬貨の処理状況に応じて随時更新されるように構成されている（図３（ｂ）参照）。なお、本実施の形態においては、表示部１０のうち向かって右側に在高枚数表示領域１２が設けられ、向かって左側に処理枚数表示領域１１が設けられており、これら在高枚数表示領域１２と処理枚数表示領域１１は、独立した区画領域に表示される。
【００３３】
なお、本願で「独立した区画領域に表示される」とは、在高枚数表示領域１２に示される情報と、処理枚数表示領域１１に示される情報とが、全く独立して表示されていることを意味する。すなわち、後述する図６に示す態様では、金種についての情報が、在高枚数表示領域１２と処理枚数表示領域１１とで共通して利用されているので、在高枚数表示領域１２に示される情報と処理枚数表示領域１１に示される情報とは、「独立した区画領域に表示」されていないこととなる。
【００３４】
なお、本実施の形態の貨幣取引装置は、紙幣を紙幣収納部３６内から回収したり硬貨を硬貨収納部２６内から回収したりする回収処理と、紙幣および硬貨を両替する両替処理と、紙幣を紙幣収納部３６内に補充したり硬貨を硬貨収納部２６内に補充したりする補充処理と、指定した枚数の紙幣を紙幣収納部３６内に残したり指定した枚数の硬貨を硬貨収納部２６内に残したりする残置処理を行うことができる。なお、両替処理とは、補充処理と回収処理とを同時に実施する処理ということができる。
【００３５】
また、入力部５は、回収処理における出金枚数、両替処理における出金枚数、補充処理における補充枚数、および、残置処理における残置枚数（硬貨収納部２６に残す硬貨の枚数と紙幣収納部３６に残す紙幣の枚数）が入力可能となっている。また、処理枚数表示領域１１は、回収処理における出金枚数、両替処理における出金枚数、補充処理における補充枚数、および、残置処理における残置枚数が表示可能となっている。なお、回収処理、両替処理、補充処理および残置処理のいずれの処理を行うかは、入力部５の選択ボタン（図示せず）を押下することによって選択することができる。
【００３６】
また、回収処理および両替処理を行う際に、入力部５で在高枚数を超える出金枚数が入力されたときには、報知部（図示せず）によってその旨が報知される。なおこのとき、貨幣取引装置は、入力部５による入力が受け付けられないように構成されている。
【００３７】
また、残置処理を行う際に、入力部５で在高枚数を超える残置枚数が入力されたときにも、報知部によってその旨が報知されるとともに、入力部５による入力が受け付けられないように構成されている。
【００３８】
また、回収処理および両替処理を行う際には、所定枚数以上（例えば５０枚以上）の在高枚数にある金種が強調表示（赤色点灯、点滅など）され（図４参照）、他方、補充処理を行う際には、所定枚数以下（例えば１０枚以下）の在高枚数にある金種が強調表示される（図５参照）ように構成されている。なお、図４においては、回収処理時に、５千円が所定枚数以上の在高枚数にあるとして強調表示されている。また、図５においては、補充処理時に、１万円が所定枚数以下の在高枚数にあるとして強調表示されている。
【００３９】
次に、このような構成からなる本実施の形態の作用について述べる。
【００４０】
硬貨処理
最初に、硬貨処理の一般的な工程について、図１および図２を参照として説明する。
【００４１】
硬貨受入部２１によって硬貨が受け入れられると、この硬貨は硬貨入金搬送機構２５によって搬送される。このとき、硬貨識別部２２によって、その金種などが識別される。次に、搬送対象である硬貨が、硬貨識別部２２による識別結果に基づいて、硬貨選別部２４によって硬貨が選別され、当該硬貨は各金種に対応した硬貨収納部２６に収納される。このようにして、入金処理が完了する。他方、入力部５で出金するよう入力されると、硬貨収納部２６から、当該入力に応じた硬貨が硬貨出金搬送機構２７を経て硬貨出金口２８に出金される。
【００４２】
紙幣処理
次に、紙幣処理の一般的な工程について、図１および図２を参照として説明する。
【００４３】
紙幣受入部３１によって紙幣が受け入れられると、この紙幣は紙幣搬送機構３５によって搬送される。このとき、紙幣識別部３２によって、その金種などが識別される。次に、搬送対象である紙幣が、紙幣識別部３２による識別結果に基づいて、各金種に対応した紙幣収納部３６に収納される。このようにして、入金処理が完了する。なお、紙幣の金種を識別できなかったときには、当該紙幣は入金リジェクト部（紙幣払出口）３８に搬送される。
【００４４】
他方、入力部５で出金するよう入力されると、紙幣収納部３６から、当該入力に応じた紙幣が、紙幣収納部３６から紙幣搬送機構３５へと繰り出される。このように繰り出された紙幣は、紙幣識別部３２を経て、紙幣払出口（入金リジェクト部）３８に搬送される。なお、斜行などにより紙幣識別部３２で金種が識別できなかった場合には、当該紙幣は出金リジェクト部３９に搬送される。
【００４５】
次に、以上のような硬貨処理および紙幣処理を行うことができる本実施の形態による貨幣取引装置の特徴的な作用効果について説明する。
【００４６】
表示部１０が、紙幣および硬貨の金種毎の在高枚数を表示する在高枚数表示領域１２と、入力部５によって入力された紙幣および硬貨の処理枚数を表示する処理枚数表示領域１１とを有し、在高枚数表示領域１２と処理枚数表示領域１１の各々は、処理可能な金種の全てを同時に表示する（図３（ａ）参照）。このため、作業者が在高枚数を見ながら作業（回収処理、両替処理、補充処理、残置処理など）をすることができ、作業者の作業効率を向上させることができる。
【００４７】
より具体的には、本実施の形態によれば、回収処理を行う際に、紙幣収納部３６および硬貨収納部２６に残すべき貨幣（紙幣および硬貨）の枚数を確認しつつ、貨幣を出金することができる。このため、紙幣収納部３６および硬貨収納部２６に適当な枚数の貨幣を、容易かつ確実に残すことができ、作業者の作業効率を向上させることができる。
【００４８】
また、両替処理を行う際にも、同様に、紙幣収納部３６および硬貨収納部２６に残すべき貨幣の枚数を確認しつつ、貨幣を出金することができる。このため、紙幣収納部３６および硬貨収納部２６に適当な枚数の貨幣を、容易かつ確実に残すことができ、作業者の作業効率を向上させることができる。
【００４９】
また、補充処理を行う際には、紙幣収納部３６および硬貨収納部２６内の在高枚数を確認しつつ、紙幣収納部３６および硬貨収納部２６に補充すべき補充枚数を入力することができる（図５参照）。このため、紙幣収納部３６および硬貨収納部２６に適当な枚数の貨幣を、容易かつ確実に収納させることができ、作業者の作業効率を向上させることができる。
【００５０】
さらに、残置処理を行う際には、紙幣収納部３６および硬貨収納部２６内の在高枚数を確認しつつ、残置枚数を入力することができる。このため、紙幣収納部３６および硬貨収納部２６の在高枚数を超える枚数を残すというような誤った指示を入力部５で入力することを、容易かつ確実に防止することができ、作業者の作業効率を向上させることができる。
【００５１】
また、在高枚数表示領域１２に表示される在高枚数は、紙幣または硬貨の処理状況に応じて随時更新されるので、作業者が在高枚数の変化をリアルタイムで把握しながら作業することができる（図３（ｂ）参照）。このため、作業者の作業効率をより向上させることができる。
【００５２】
また、回収処理および両替処理を行う際に、入力部５で在高枚数を超える出金枚数が入力されたときには、入力部５による入力が受け付けられないだけではなく、報知部によってその旨が報知される。また、残置処理を行う際にも、入力部５で在高枚数を超える残置枚数が入力されたときには、入力部５による入力が受け付けられないだけではなく、報知部によってその旨が報知される。これらのことより、作業者は、出金枚数や残置枚数が有効なものではなく、再度、出金枚数や残置枚数を入力しなおさなければならないことを、容易に認識することができる。
【００５３】
なお、上述のように、入力部５で在高枚数を超える出金枚数が入力されたときには入力部５による入力が受け付けられないので、予定していた枚数（入力した出金枚数）より少ない枚数（硬貨収納部２６または紙幣収納部３６に残っていた枚数）だけが出金されることを防止することができる。また、入力部５で在高枚数を超える残置枚数が入力されたときには入力部５による入力が受け付けられないので、予定していた枚数（入力した残置枚数）より少ない枚数の貨幣が硬貨収納部２６または紙幣収納部３６に収納される状態が発生することを防止することもできる。
【００５４】
また、回収処理および両替処理を行う際に、所定枚数以上の在高枚数にある金種が強調表示されるので、作業者は、在高枚数について気をつけなければならない金種を一目で認識することができる（図４参照）。他方、補充処理を行う際には、所定枚数以下の在高枚数にある金種が強調表示されるので、作業者は、補充すべき金種を一目で認識することができる（図５参照）。これらのことより、作業者の作業効率をより向上させることができる。
【００５５】
なお、入力部５によって入力された金種の補充枚数を当該金種の在高枚数に加えた総枚数が、当該金種を収納する硬貨収納部２６や紙幣収納部３６の収納最大枚数を超えたときには、報知部によってその旨が報知されるようにしてもよいし、また、入力部５による入力が受け付けられないようになっていてもよい。
【００５６】
例えば、１００円硬貨を大量に補充した場合には、入力部５によって入力された１００円硬貨の補充枚数を１００円硬貨の在高枚数に加えた総枚数が、１００円硬貨を収納する硬貨収納部２６の収納最大枚数を超えてしまうことがあるが、このときに、報知部によってその旨が報知されたり、入力部５による入力が受け付けられなくなったりするのである。
【００５７】
このような構成を用いることによって、作業者は、補充枚数が有効なものではなく、再度、補充枚数を入力しなおさなければならないことを、容易に認識することができる。
【００５８】
ところで、上記では、表示部１０のうち向かって右側に在高枚数表示領域１２が設けられ、向かって左側に処理枚数表示領域１１が設けられた態様を用いて説明したが、これに限られない。例えば、表示部１０のうち向かって左側に在高枚数表示領域１２が設けられ、向かって右側に処理枚数表示領域１１が設けられてよいし、表示部１０の上方側に在高枚数表示領域１２が設けられ、下方側に処理枚数表示領域１１が設けられてもよい。
【００５９】
また、上記では、在高枚数表示領域１２と処理枚数表示領域１１が独立した区画領域に表示される態様を用いて説明したが、これに限られない。例えば、図６に示すように、在高枚数表示領域１２と処理枚数表示領域１１とが金種毎に並列して表示されるようになっていてもよい。このように、在高枚数表示領域１２と処理枚数表示領域１１とが金種毎に並列して表示されることによって、作業者は金種毎の在高枚数と処理枚数との関係をより容易に確認することができる。このため、作業者の作業効率をより向上させることができる。なお、図６においては、残置処理を行うときの表示部の表示態様を示している。
【００６０】
また、上記では、硬貨筐体２０に、紙幣および硬貨の処理枚数を入力する入力部５と表示部１０とが設けられている態様を用いて説明したが、これに限られることはない。例えば、入力部５と表示部１０が紙幣筐体３０に設けられてもよいし、入力部５が硬貨筐体２０に設けられ表示部１０が紙幣筐体３０に設けられてもよいし、入力部５が紙幣筐体３０に設けられ表示部１０が硬貨筐体２０に設けられてもよい。
【図面の簡単な説明】
【００６１】
【図１】本発明の実施の形態による貨幣取引装置を示す斜視図。
【図２】本発明の実施の形態による貨幣取引装置を示す概略構成図。
【図３】本発明の実施の形態による貨幣取引装置の表示部の表示態様を示す概略図。
【図４】本発明の実施の形態による貨幣取引装置の表示部が、回収処理の際に強調表示する態様を示す概略図。
【図５】本発明の実施の形態による貨幣取引装置の表示部が、補充処理の際に強調表示する態様を示す概略図。
【図６】本発明の実施の形態の変形例による貨幣取引装置の表示部の表示態様を示す概略図。
【符号の説明】
【００６２】
５      入力部
１０    表示部
１１    処理枚数表示領域
１２    在高枚数表示領域
２０    硬貨筐体（筐体）
２１    硬貨受入部（貨幣受入部）
２２    硬貨識別部（貨幣識別部）
２３    硬貨搬送部
２４    硬貨選別部
２５    硬貨入金搬送機構（搬送機構）
２６    硬貨収納部（貨幣収納部）
２７    硬貨出金搬送機構（搬送機構）
２８    硬貨出金口（貨幣出金部）
３０    紙幣筐体（筐体）
３１    紙幣受入部（貨幣受入部）
３２    紙幣識別部（貨幣識別部）
３５    紙幣搬送機構（搬送機構）
３６    紙幣収納部（貨幣収納部）
３８    入金リジェクト部、紙幣払出口（貨幣出金部）
３９    出金リジェクト部
【図１】
0005191760.tif 000002
【図２】
0005191760.tif 000003
【図３】
0005191760.tif 000004
【図４】
0005191760.tif 000005
【図５】
0005191760.tif 000006
【図６】
0005191760.tif 000007